(57)【要約】本発明は、仮想多重入出力システムのアップリンク電力制御を実施するアップリンク電力制御方法を公開し、システムリソースの節約を目的とする。上記方法は、仮想多重入出力システムにおけるペアを組む少なくとも２つのユーザー設備を確定するステップと、少なくとも２つの上記ユーザー設備間の直交性により、少なくともそのうちの１つのユーザー設備の電力を調整するステップとを備える。上記方法を実施する装置も公開する。【選択図】図１
2011520314.tif 000002
【特許請求の範囲】
【請求項１】
仮想多重入出力システムにおけるペアを組む少なくとも２つのユーザー設備を確定するステップと、
前記少なくとも２つのユーザー設備間の直交性により、少なくともそのうちの１つのユーザー設備の電力を調整するステップと、
を備えることを特徴とするアップリンク電力制御方法。
【請求項２】
前記少なくとも２つのユーザー設備間の直交性は、前記少なくとも２つのユーザー設備のチャネルマトリックスの直交性により表されることを特徴とする請求項１記載のアップリンク電力制御方法。
【請求項３】
前記少なくとも２つのユーザー設備間の直交性は、前記少なくとも２つのユーザー設備のチャネルマトリックスを直交マトリックスに近付かせることによって確定されることを特徴とする請求項２記載のアップリンク電力制御方法。
【請求項４】
前記少なくとも２つのユーザー設備のチャネルマトリックスを直交マトリックスに近付かせることにより、望ましい前記少なくとも２つのユーザー設備の電力関係を獲得するステップと、
望ましい前記少なくとも２つのユーザー設備の電力関係により、少なくともそのうちの１つのユーザー設備の電力を調整するステップと、
を備えることを特徴とする請求項３記載のアップリンク電力制御方法。
【請求項５】
前記少なくとも２つのユーザー設備における少なくとも１つのユーザー設備の電力を調整するステップは、
望ましい前記少なくとも２つのユーザー設備の電力関係により、前記少なくとも２つのユーザー設備における少なくとも１つのユーザー設備の電力の調整すべき幅と方向を確定するステップと、
確定された少なくとも１つのユーザー設備の電力の調整すべき幅と方向により、電力調整命令を生成して少なくとも１つの前記ユーザー設備に送信し、少なくとも１つの前記ユーザー設備が前記命令に従って電力調整を行うようにするステップと、
を備えることを特徴とする請求項４記載のアップリンク電力制御方法。
【請求項６】
前記少なくとも２つのユーザー設備における少なくとも１つのユーザー設備の電力を調整するステップは、
望ましい前記少なくとも２つのユーザー設備の電力関係、及び統合されたチャネル質に関係する各パラメータ値により、前記少なくとも２つのユーザー設備における少なくとも１つのユーザー設備が採用すべき電力を確定するステップと、
確定された少なくとも１つのユーザー設備が採用すべき電力により、電力指示命令を生成して前記少なくとも１つのユーザー設備に送信し、前記少なくとも１つのユーザー設備が前記命令に従って電力調整を行うようにするステップと、
を備えることを特徴とする請求項４記載のアップリンク電力制御方法。
【請求項７】
２つの前記ユーザー設備の位置、チャネル質、セル総電力制御と大幅なフェーディングのうちの１つまたは複数の要素により、２つの前記ユーザー設備における少なくとも１つのユーザー設備の電力調整を確定することを特徴とする請求項５または請求項６記載のアップリンク電力制御方法。
【請求項８】
仮想多重入出力システムにおけるペアを組む少なくとも２つのユーザー設備を確定する獲得モジュールと、
前記少なくとも２つのユーザー設備間の直交性により、前記少なくとも２つのユーザー設備間における調整すべき電力の大きさを確定する計算モジュールと、
確定された調整すべき電力の大きさにより、少なくともそのうちの１つのユーザー設備の電力を調整する調整モジュールと、
を備えることを特徴とするアップリンク電力制御装置。
【請求項９】
前記少なくとも２つのユーザー設備間の直交性は、前記少なくとも２つのユーザー設備のチャネルマトリックスの直交性により表されることを特徴とする請求項８記載のアップリンク電力制御装置。
【請求項１０】
前記少なくとも２つのユーザー設備間の直交性は、前記少なくとも２つのユーザー設備のチャネルマトリックスを直交マトリックスに近づかせることにより確定されることを特徴とする請求項９記載のアップリンク電力制御装置。
【請求項１１】
前記計算モジュールは前記少なくとも２つのユーザー設備のチャネルマトリックスを直交マトリックスに近づかせることにより、望ましい前記少なくとも２つのユーザー設備の電力関係を獲得し、当該望ましい前記少なくとも２つのユーザー設備の電力関係に基づき、少なくとも２つ前記のユーザー設備間における調整すべき電力の大きさを確定することを特徴とする請求項１０記載のアップリンク電力制御装置。
【請求項１２】
前記調整モジュールは、確定された調整すべき電力により、前記少なくとも２つのユーザー設備における少なくとも１つのユーザー設備の電力の調整すべき幅と方向を確定し、確定された少なくとも１つのユーザー設備電力の調整すべき幅と方向により、電力調整命令を生成して前記少なくとも１つのユーザー設備に送信し、前記少なくとも１つのユーザー設備が前記命令により電力調整を行うようにすることを特徴とする請求項１１記載のアップリンク電力制御装置。
【請求項１３】
前記調整モジュールは、また、確定された調整すべき電力及び統合されたチャネル質に関係する各パラメータ値により、前記少なくとも２つのユーザー設備における少なくとも１つのユーザー設備が採用すべき電力を確定し、確定された少なくとも１つのユーザー設備が採用すべき電力により、電力指示命令を生成して前記少なくとも１つのユーザー設備に送信し、前記少なくとも１つのユーザー設備が前記命令に従って電力調整を行うようにすることを特徴とする請求項１１記載のアップリンク電力制御装置。
【請求項１４】
少なくとも２つのユーザー設備と、
仮想多重入出力システムにおけるペアを組む少なくとも２つのユーザー設備を確定し、前記少なくとも２つのユーザー設備間の直交性により、少なくともそのうちの１つのユーザー設備の電力を調整するネットワーク側設備と、
を備えることを特徴とするアップリンク電力制御システム。
【請求項１５】
前記少なくとも２つのユーザー設備間の直交性は、前記少なくとも２つのユーザー設備のチャネルマトリックスを直交マトリックスに近づかせることにより確定され、
前記ネットワーク側設備は、前記少なくとも２つのユーザー設備のチャネルマトリックスを直交マトリックスに近づかせることにより、望ましい前記少なくとも２つのユーザー設備の電力関係を獲得し、当該望ましい前記少なくとも２つのユーザー設備の電力関係に基づき、少なくともそのうちの１つのユーザー設備の電力を調整することを特徴とする請求項１４記載のアップリンク電力制御システム。
【請求項１６】
前記ネットワーク側設備は、確定された調整すべき電力により、前記少なくとも２つのユーザー設備における少なくとも１つのユーザー設備の電力の調整すべき幅と方向を確定し、確定された少なくとも１つのユーザー設備電力の調整すべき幅と方向により、電力調整命令を生成して前記少なくとも１つのユーザー設備に送信し、前記少なくとも１つのユーザー設備が前記命令により電力調整を行うようにすることを特徴とする請求項１５記載のアップリンク電力制御システム。
【請求項１７】
前記ネットワーク側設備は、また、確定された調整すべき電力及び統合されたチャネル質に関係する各パラメータ値により、前記少なくとも２つのユーザー設備における少なくとも１つの前記ユーザー設備が採用すべき電力を確定し、確定された少なくとも１つのユーザー設備が採用すべき電力により、電力指示命令を生成して前記少なくとも１つのユーザー設備に送信し、前記少なくとも１つのユーザー設備が前記命令に従って電力調整を行うようにすることを特徴とする請求項１５記載のアップリンク電力制御システム。
【発明の詳細な説明】
【技術分野】
【０００１】
本発明は通信技術分野に関し、特にアップリンク電力制御方法及び装置に関する。
【背景技術】
【０００２】
無線インターネット・マルチメディア通信の高速発展に伴い、無線通信システムの容量及び信頼性の向上が当面の課題となり、従来型のシングル・アンテナ受送信システムは厳しい挑戦に直面している。従来型の送信ダイバーシティ、受信ダイバーシティまたはスマート・アンテナ技術は、次世代無線通信システムの大容量と高信頼性要求に応えられなくなったが、多重入出力（Ｍｕｌｔｉｐｌｅ  Ｉｎｐｕｔ  Ｍｕｌｔｉｐｌｅ  Ｏｕｔｐｕｔ、ＭＩＭＯ）システムにより、この問題が解決された。多重入出力システムの場合、チャネル容量はアンテナ数の増大とともに増大され、即ち、ＭＩＭＯチャネルを用いて無線チャネル容量を何倍にも高めることができる。また、帯域幅とアンテナ送信電力を増やさないことを前提に、周波数スペクトルの利用率が何倍にも高められる。しかし、端末側のアンテナ数が限られているため、ＭＩＭＯシステムの応用も制限されることとなる。現在、システム性能をさらに向上させるため、多重入出力（ＭＩＭＯ）技術を基にして仮想ＭＩＭＯ技術が見出された。仮想ＭＩＭＯ技術は、複数のアンテナの数が少ないユーザー設備をマルチアンテナ・システムに配置し、当該複数のユーザー設備に同一時間／周波数リソースを利用させることによって、システムのスループットの拡大とネットワークサービスの向上を図るものである。
【０００３】
従来の適応電力制御（Ａｄａｐｔｉｖｅ  Ｐｏｗｅｒ  Ｃｏｎｔｒｏｌ，ＡＰＣ）方法としては、すべてのユーザーに電力制御閾値を設置し、ネットワーク側により目標信号の搬送波対干渉波比を測定し、かつ、設定された閾値と比較する。設定された閾値より大きい場合は、送信電力レベルを下げ、適応変調符号化（Ａｄａｐｔｉｖｅ  Ｍｏｄｌａｔｉｏｎ  ａｎｄ  Ｃｏｄｉｎｇ、ＡＭＣ）の設置を決める。そうではない場合は、送信側により、送信電力レベル（送信電力が最大許容値より小さい際）を上げ、ＡＭＣ設置を決める。ここでわかるように、従来の電力制御過程はすべてシングルユーザー設備に対応するものであり、ある１つのユーザー設備に対して電力制御を行う際、その個別チャネルの状况のみ考える。
【発明の開示】
【発明が解決しようとする課題】
【０００４】
現在まで、仮想ＭＩＭＯシステムのアップリンク電力制御に対する解決案が見当らず、従来の電力制御方式を採用すると、ユーザー設備間の干渉が大きくなる恐れがあり、データ伝送の質に影響を及ぼし、システムリソースを浪費する。
【課題を解決するための手段】
【０００５】
本発明は、以上にかかる点に鑑みられたものであり、仮想ＭＩＭＯシステムに対するアップリンク電力制御を実施するのに用いられるアップリンク電力制御方法及び装置を提供し、システムリソースの節約を目的にする。
【０００６】
本発明のアップリンク電力制御方法は、仮想多重入出力システムにおけるペアを組む少なくとも二つのユーザー設備を確定するステップと、少なくとも前記二つのユーザー設備間の直交性により、少なくともそのうちの１つのユーザー設備電力を調整するステップとを備える。
【０００７】
本発明のアップリンク電力制御用装置は、仮想多重入出力システムにおけるペアを組む少なくとも２つのユーザー設備を確定する獲得モジュールと、少なくとも前記２つのユーザー設備間の直交性により、少なくとも上記２つのユーザー設備間の調整する必要がある電力の大きさを確定する計算モジュールと、確定された調整する必要がある電力の大きさにより、少なくともそのうちの１つのユーザー設備電力を調整する調整モジュールとを備える。
【０００８】
本発明に係る実施形態が提供するアップリンク電力制御用システムは、少なくとも２つのユーザー設備と、仮想多重入出力システムにおけるペアを組む少なくとも２つのユーザー設備を確定し、かつ、前記少なくとも２つのユーザー設備間の直交性により、少なくともそのうちの１つのユーザー設備電力を調整するネットワーク側設備とを備える。
【発明の効果】
【０００９】
本発明に係る実施形態は、仮想ＭＩＭＯシステムにおけるペアを組んだＵＥを一体として電力制御が施され、ペアを組んだＵＥ間における電力割り当ての直交性が最大限に満たされ、ＵＥ間の干渉が低減され、伝送質を高めると同時に、無意味な電力増加により引き起こされたシステムリソース浪費も減少される。
【図面の簡単な説明】
【００１０】
【図１】本発明に係る実施形態におけるアップリンク電力制御方法の主なフローチャート。
【図２】本発明に係る実施形態おけるアップリンク電力制御方法の詳細なフローチャート。
【図３】本発明に係る実施形態における装置の主な構造図。
【図４】本発明に係る実施形態における装置の詳細な構造図。
【発明を実施するための最良の形態】
【００１１】
本発明に係る実施形態には、まず、仮想ＭＩＭＯシステムにおけるペアを組む複数のユーザー設備（ＵＥ）を確定し、その後、当該複数のＵＥ間の直交性により、少なくともそのうちの１つのＵＥのアップリンク電力を調整し、ＵＥ間の干渉ができる限り小さいことが確保できる上、電力調整により伝送質を確保し、余計な電力増加で引き起こすリソース浪費を防ぐ。
【００１２】
図１に示すとおり、本実施形態におけるアップリンク電力制御方法は主に以下のようなステップを備える。
【００１３】
ステップ１０１：仮想多重入出力システムにおけるペアを組む少なくとも２つのユーザー設備を確定する。少なくともペアを組んだ２つのユーザー設備はいずれかのペア方式で確定されることができる。例えば、ランダムペア方式または直交ペア方式等多くの方式がある。
【００１４】
ステップ１０２：前記少なくとも２つのユーザー設備間の直交性により、前記少なくとも２つのユーザー設備間における調整すべき電力の大きさを確定する。
【００１５】
ステップ１０３：前記少なくとも２つのユーザー設備における少なくとも１つのユーザー設備電力を調整する。
【００１６】
本実施形態における複数のＵＥ間の直交性は、複数ＵＥのチャネルマトリックスを構成して直交マトリックスをさらに獲得することにより確定されるものである。
【００１７】
まずは、チャネルマトリックスを構成する。２つのＵＥ（例えばＵＥ１とＵＥ２）を例として挙げると、２×２という仮想ＭＩＭＯシステムにおいては、チャネルマトリックスＨｎは数式１のとおりに表示できる。
【００１８】
【数１】
2011520314.tif 000003
【００１９】
そのうち、ｎは第ｎ個のサブキャリア、Ｐ１とＰ２はそれぞれＵＥ１とＵＥ２の予定送信電力、Ｌとｈはチャネル質に影響を与える２つの要素、Ｌ１とＬ２はそれぞれＵＥ１とＵＥ２の伝送損失とシャドウフェージング（Ｓｈａｄｏｗ  ｆａｄｉｎｇ）の和、ｈ１１、ｈ１２、ｈ２１とｈ２２はそれぞれ２つの送信アンテナから２つの受信アンテナまでの高速フェージング（Ｆａｓｔ  ｆａｄｉｎｇ）を示す。勿論チャネル質に影響を与える要素は以上のようなものに限られないが、本実施形態には単にＬとｈという２つの要素を例として説明するものにすぎない。
【００２０】
チャネルマトリックスＨｎが直交マトリックスである際、ＵＥ１とＵＥ２の直交性が一番よく、即ちＵＥ１とＵＥ２の直交性はチャネルマトリックスＨｎの直交性により現れ、この際の二者間の干渉が最小になり、理想的な空間多重効果が得られる。チャネルマトリックスＨｎを望ましい直交マトリックスにするため、マトリックスＦｎ＝ＨｎＨＨｎを計算する必要があり、上つけ文字Ｈはマトリックスの共役装置を示す。各パラメータをＦｎに代入すると、数式２を得る。
【００２１】
【数２】
2011520314.tif 000004
【００２２】
Ｆｎが対角マトリックスである際、チャネルマトリックスＨｎは直交マトリックスであるため、Ｆｎを単位マトリックスに近づかせ、数式３に最小値を取るようにしてＰ１とＰ２間の関係を見つける必要がある。
【００２３】
【数３】
2011520314.tif 000005
【００２４】
そのうち、ＫはＵＥ１とＵＥ２の信号対雑音比の望ましい比率である。
【００２５】
そして、計算により得たＰ１とＰ２が数式４を満たす場合、数式３は最小値を取得することができる。
【００２６】
【数４】
2011520314.tif 000006
【００２７】
数式４はＰ１とＰ２の比率関係を表すものであるが、電力は高低調整またはそのまま保持するしかできないので、Ｐ１とＰ２の差の関係を見つける必要がある。そのため、数式４に対して対数演算を行い、数式５を参照する。
【００２８】
【数５】
2011520314.tif 000007
【００２９】
数式４の両側に対数演算を行うと、数式６に示される関係を取得できる。本実施形態には、数式４に対してＤＢ値を取得し、そのうち、ＤＢは１０で１０を底とする対数を乗じることを表す。そして、得られたＰ１とＰ２の差の関係は数式６のとおりである。
【００３０】
【数６】
2011520314.tif 000008
【００３１】
この時、数式６に示された関係を満たすようにＰ１及び／またはＰ２を調整する必要性が存在可能である。即ち、Ｐ１またはＰ２だけを調整することも、Ｐ１とＰ２をともに調整することもできるが、具体的にどの調整方式を採用すべきかは、他の要素を考慮しなければならない。以下、三つの例を挙げて説明する。
【００３２】
〈例１〉
例えば、ＵＥ１とＵＥ２の位置を考慮する。ＵＥ１とＵＥ２がセルの中間部に位置すれば、隣接セルに干渉を殆ど与えなく、電量を高く調整して伝送質が高められる。一方、ＵＥ１とＵＥ２がセルのエッジに位置すれば、電量を低く調整して隣接セルへの干渉を低減できる。
【００３３】
〈例２〉
または、セル内のトータル電力制御を考えてもよい。セル内の最高トータル電力は一定されているため、もし現在、セル内のトータル電力と上限値の差が比較的大きく、特にＰ１とＰ２を高く調整してもセル内のトータル電力の上限値を超えなければ、高電力を選択することで伝送質を高められる。もし現在、セル内のトータル電力と上限値の差が比較的小さく、特にＰ１とＰ２を高く調整してセル内のトータル電力の上限値を超えれば、低電力を選択することでシステムリソースを節約できる。
【００３４】
〈例３〉
Ｐ１及び／またはＰ２の確定には、変調符号化案（Ｍｏｄｕｌａｔｉｏｎａｎｄ  Ｃｏｄｉｎｇ  Ｓｃｈｅｍｅ、ＭＣＳ）のレベル、隣接セルと本セルのパス・ロス差、大幅にフェーディングする場合、ダウンリンクパス・ロスと信号対雑音比等の要素を考えても良い。そうすると、確定された調整後の電力Ｐは数式７に示すとおりである。
【００３５】
【数７】
2011520314.tif 000009
【００３６】
以上の説明により、ＵＥ１とＵＥ２が採用すべき送信電力Ｐ１とＰ２を確定できる。ＵＥ１とＵＥ２は、ランダムペア方式や直交ペア方式のような数多くの方式を選択することができる。そのうち、直交ペア方式は、ＵＥ１とＵＥ２の仮想ＭＩＭＯシステムにおけるチャネル容量を最大化するものであり、以下のような技術手段で実施できる。
【００３７】
まず、マトリックスＦｎを構成し、数式１と数式２を参照する。
【００３８】
次は、ＦｎによりＧｎを計算する。
【００３９】
【数８】
2011520314.tif 000010
【００４０】
以上のような説明により、ＵＥのアップリンク電力の確定及びユーザーのペアを組む仕組みを明らかにした。以下には、アップリンク電力制御の流れをステップ毎に詳細に説明する。
【００４１】
図２に示すとおり、本実施形態におけるアップリンク電力制御方法の詳細な流れは以下のとおりである。
【００４２】
ステップ２０１：送信待機データの各ＵＥの優先度或いは送信待機データの優先度により、現在リソース割り当てを必要とするＵＥを確定する。
【００４３】
ステップ２０２：確定されたＵＥにリソースを割り当てる。当該ステップには、事前に設定したスケジューリングアルゴリズムｎによりリソース割り当てを行い、そのスケジューリングアルゴリズムには、種類が多くあり、たとえば正比例公平性アルゴリズム（ｄｉｒｅｃｔ  ｐｒｏｐｏｒｔｉｏｎ  ｆａｉｒｎｅｓｓ  ａｌｇｏｒｉｔｈｍ）或いはポーリングアルゴリズム（ｐｏｌｌｉｎｇ  ａｌｇｏｒｉｔｈｍ）等である。正比例公平性アルゴリズムとは、信号対雑音比等要素により各ＵＥにリソースを割り当てることを指す。たとえば、チャネル質が良いＵＥにより多くリソースを割り当てることをいう。ポーリングアルゴリズムは、ＵＥにリソースを均等に割り当てることを指す。
【００４４】
ステップ２０３：仮想ＭＩＭＯ技術を採用するかどうかを判断する。「はい」であれば、ステップ２０４に続き、そうではない場合、この電力制御流れを終了させる。
【００４５】
セル内のサービス量が少なければ、システムの時間・周波数リソースはすべてのユーザーに対して十分であるので、仮想ＭＩＭＯ技術を採用しない。一方、セル内のサービス量が多く、システムリソースを全部割り当てたとしても、サービス請求に応じられていないユーザーがあれば、割り当てたリソースにおいて、これらのユーザーを当該リソースを占用するユーザーと仮想ＭＩＭＯペアを組ませ、システムリソースを共有させる。
【００４６】
ステップ２０４：ネットワーク側のマルチアンテナと仮想ＭＩＭＯシステムを構成するため、ユーザーペアを組む。例えば、ＵＥ１とＵＥ２を一組のペアにする。本実施形態においては直交ペア方式を採用する。
【００４７】
ステップ２０５：ペアを組む複数のＵＥのチャネル質に関わるパラメータを獲得する。ＵＥは定期的にネットワーク側に測定報告を送信し、ネットワーク側は当該測定報告によりＵＥのチャネル質に関わるパラメータを獲得する。ネットワーク側が他の測定も実施可能であれば、チャネル質に関わるいずれのパラメータを測定しても良い。
【００４８】
ステップ２０６：獲得したパラメータ、数式５と数式６により、ペアを組んだＵＥの望ましい送信電力との関係を確定する。
【００４９】
ステップ２０７：ペアを組んだＵＥにおける少なくとも１つのＵＥの送信電力を調整し、調整後の電力をペアを組んだＵＥ間における望ましい送信電力の関係に応じられるようにする。電力の調整幅及び方向を確定し、例えば１ｄＢを低くするように調整する。
【００５０】
ステップ２０８：ＵＥに電力調整命令を送信し、ＵＥに当該電力調整命令により電力調整を行わせ、できるだけ直交性に応え、ペアを組んだＵＥ間の干渉を低減させる。
【００５１】
ステップ２０７とステップ２０８においては、電力の調整幅を確定することではなく、ＵＥが採用すべき電力を確定し、ＭＣＳレベルと開ループ・閉ループ電力制御などの要素を取り入れる他の実施方式を採用しても良い。ＭＣＳレベルと開ループ・閉ループ電力制御などの要素に応えた上で、調整幅をさらに確定し、獲得した電力をペアを組んだＵＥ間における望ましい送信電力関係に満たすようにする。その後、ネットワーク側からＵＥに電力指示命令を送信し、ＵＥは当該電力指示命令によりアップリンク送信電力を確定する。
【００５２】
識別子が一致しているＵＥは、ブロードキャストまたはマルチキャスト方式で送信された、電力調整が必要なＵＥの識別子が含まれる電力調整命令或いは電力指示命令を受信し、それにより、電力調整を行う。電力調整命令または電力指示命令は、ポイントツーポイント方式により、電力調整が必要であるＵＥに直接送信されても良い。
【００５３】
前記のアップリンク電力制御の実施過程に応じ、本発明はアップリンク電力制御装置を提供する。図３を参照すると、本実施形態が提供するアップリンク電力制御装置は、獲得モジュール３０１、計算モジュール３０２と調整モジュール３０３を備える。当該装置は具体的に基地局或いは進化基地局などであれば良い。
【００５４】
獲得モジュール３０１は、仮想多重入出力システムにおけるペアを組む少なくとも２つのユーザー設備を確定する。獲得モジュール３０１がペアを組むＵＥを確定する方法は複数であり、例えば、情報受信方式によりペアを組むＵＥを確定するか、ローカルのペアリング操作によりペアを組むＵＥを確定する。この際、獲得モジュール３０１はユーザーペアリング操作に用いられるのペアユニットを備える。
【００５５】
計算モジュール３０２は、前記少なくとも２つのユーザー設備間の直交性により、前記少なくとも２つのユーザー設備間における調整すべき電力の大きさを確定する。具体的に、計算モジュール３０２は、獲得したパラメータ、数式５と数式６により、ペアを組むＵＥの望ましい送信電力関係を確定する。
【００５６】
調整モジュール３０３は、前記少なくとも２つのユーザー設備における少なくとも１つのユーザー設備の電力を調整し、調整後の電力をペアを組んだＵＥ間における望ましい送信電力関係を満たすようにする。
【００５７】
前記装置は、インタフェースモジュール３０４、リソース割り当てモジュール３０５、制御モジュール３０６と命令モジュール３０７をさらに備える。図４を参照。
【００５８】
インタフェースモジュール３０４は、外部装置と情報をやり取りし、ＵＥからの測定報告を受信し、ＵＥに電力調整命令或いは電力指示命令などを送信する。
【００５９】
リソース割り当てモジュール３０５は、送信待機データの各ＵＥの優先度或いは送信待機データの優先度により、現在リソース割り当てが必要であるＵＥを確定し、確定されたＵＥにリソースを割り当てる。
【００６０】
制御モジュール３０６は、仮想ＭＩＭＯ技術を採用するかどうかを判断し、仮想ＭＩＭＯ技術の採用が確定されれば、獲得モジュール３０１におけるペアユニットを起動して操作を始める。
【００６１】
命令モジュール３０７は、調整モジュール３０３が確定した電力または電力調整幅等により、電力調整命令或いは電力指示命令を生成し、インタフェースモジュール３０４を介してＵＥに送信する。
【００６２】
本実施形態がさらに提供するアップリンク電力制御的システムは、
少なくとも２つのユーザー設備と、
仮想多重入出力システムにおけるペアを組む少なくとも２つのユーザー設備を確定し、前記少なくとも２つのユーザー設備間の直交性により、前記少なくとも２つのユーザー設備における少なくとも１つのユーザー設備の電力を調整するネットワーク側設備とを備える。
【００６３】
前記少なくとも２つのユーザー設備間の直交性は、前記少なくとも２つのユーザー設備のチャネルマトリックスを直交マトリックスに近づかせることによって確定されたものである。
【００６４】
前記ネットワーク側設備は、前記少なくとも２つのユーザー設備のチャネルマトリックスを直交マトリックスに近付かせることにより、望ましい前記少なくとも２つのユーザー設備の電力関係を獲得し、当該望ましい前記少なくとも２つのユーザー設備の電力関係に基づき、少なくともそのうちの１つのユーザー設備の電力を調整する。
【００６５】
本発明に係る実施形態を実施するソフトウェアは、フロッピーディスク、ハードディスク、コンパクトディスクとフラッシュメモリなど記憶媒体に記憶させることができる。
【００６６】
本発明に係る実施形態は、仮想ＭＩＭＯシステムにおけるペアを組んだＵＥを一体として電力制御を行い、できるだけこれらＵＥ相互間の電力割り当ての直交性に応じるようにし、ＵＥ間の干渉を低減し、伝送質を高め、電力増加により引き起こされた無意味なシステムリソース浪費を減少させる。
【００６７】
最後に注意すべきことは、前記実施例は本発明の技術的な解決手段の説明だけであって、技術上の制限にはならない。本明細書では上述した実施例を参照し本発明を詳しく解説したが、当業者によって、上述した技術的な解決手段を改造し、またはその中の一部の技術素子を置換することもできる。このような改造と置換は本発明の各実施例の技術の範囲から逸脱するとは見なされない。
【図１】
2011520314.tif 000011
【図２】
2011520314.tif 000012
【図３】
2011520314.tif 000013
【図４】
2011520314.tif 000014
【誤訳訂正書】
【提出日】平成22年10月19日(2010.10.19)
【誤訳訂正１】
【訂正対象書類名】明細書
【訂正対象項目名】００２０
【訂正方法】変更
【訂正の内容】
【００２０】
チャネルマトリックスＨｎが直交マトリックスである際、ＵＥ1とＵＥ２の直交性が一番よく、即ちＵＥ1とＵＥ２の直交性はチャネルマトリックスＨｎの直交性により現れ、この際の二者間の干渉が最小になり、理想的な空間多重効果が得られる。チャネルマトリックスＨｎを望ましい直交マトリックスにするため、マトリックスＦｎ＝ＨｎＨＨｎを計算する必要があり、上つけ文字Ｈはマトリックスの転移を示す。各パラメータをＦｎに代入すると、数式２を得る。
【誤訳訂正２】
【訂正対象書類名】明細書
【訂正対象項目名】００２２
【訂正方法】変更
【訂正の内容】
【００２２】
Ｆｎが単位マトリックスである際、チャネルマトリックスＨｎは直交マトリックスであるため、Ｆｎを単位マトリックスに近づかせ、数式３に最小値を取るようにしてＰ１とＰ２間の関係を見つける必要がある。
【誤訳訂正３】
【訂正対象書類名】特許請求の範囲
【訂正対象項目名】全文
【訂正方法】変更
【訂正の内容】
【特許請求の範囲】
【請求項１】
仮想多重入出力システムにおけるペアを組む少なくとも２つのユーザー設備を確定するステップと、
前記少なくとも２つのユーザー設備間の直交性により、少なくともそのうちの１つのユーザー設備の電力を調整するステップと、
を備えることを特徴とするアップリンク電力制御方法。
【請求項２】
前記少なくとも２つのユーザー設備間の直交性は、前記少なくとも２つのユーザー設備のチャネルマトリックスの直交性により表されることを特徴とする請求項１記載のアップリンク電力制御方法。
【請求項３】
前記少なくとも２つのユーザー設備間の直交性は、前記少なくとも２つのユーザー設備のチャネルマトリックスを直交マトリックスに近付かせることによって確定されることを特徴とする請求項２記載のアップリンク電力制御方法。
【請求項４】
前記少なくとも２つのユーザー設備のチャネルマトリックスを直交マトリックスに近付かせることにより、望ましい前記少なくとも２つのユーザー設備の電力関係を獲得するステップと、
望ましい前記少なくとも２つのユーザー設備の電力関係により、少なくともそのうちの１つのユーザー設備の電力を調整するステップと、
を備えることを特徴とする請求項３記載のアップリンク電力制御方法。
【請求項５】
前記少なくとも２つのユーザー設備における少なくとも１つのユーザー設備の電力を調整するステップは、
望ましい前記少なくとも２つのユーザー設備の電力関係により、前記少なくとも２つのユーザー設備における少なくとも１つのユーザー設備の電力の調整すべき幅と方向を確定するステップと、
確定された少なくとも１つのユーザー設備の電力の調整すべき幅と方向により、電力調整命令を生成して少なくとも１つの前記ユーザー設備に送信し、少なくとも１つの前記ユーザー設備が前記命令に従って電力調整を行うようにするステップと、
を備えることを特徴とする請求項４記載のアップリンク電力制御方法。
【請求項６】
前記少なくとも２つのユーザー設備における少なくとも１つのユーザー設備の電力を調整するステップは、
望ましい前記少なくとも２つのユーザー設備の電力関係、及び統合されたチャネル質に関係する各パラメータ値により、前記少なくとも２つのユーザー設備における少なくとも１つのユーザー設備が採用すべき電力を確定するステップと、
確定された少なくとも１つのユーザー設備が採用すべき電力により、電力指示命令を生成して前記少なくとも１つのユーザー設備に送信し、前記少なくとも１つのユーザー設備が前記命令に従って電力調整を行うようにするステップと、
を備えることを特徴とする請求項４記載のアップリンク電力制御方法。
【請求項７】
２つの前記ユーザー設備の位置、チャネル質、セル総電力制御と大幅なフェーディングのうちの１つまたは複数の要素により、２つの前記ユーザー設備における少なくとも１つのユーザー設備の電力調整を確定することを特徴とする請求項５または請求項６記載のアップリンク電力制御方法。
【請求項８】
仮想多重入出力システムにおけるペアを組む少なくとも２つのユーザー設備を確定する獲得モジュールと、
前記少なくとも２つのユーザー設備間の直交性により、前記少なくとも２つのユーザー設備間における調整すべき電力の大きさを確定する計算モジュールと、
確定された調整すべき電力の大きさにより、少なくともそのうちの１つのユーザー設備の電力を調整する調整モジュールと、
を備えることを特徴とするアップリンク電力制御装置。
【請求項９】
前記少なくとも２つのユーザー設備間の直交性は、前記少なくとも２つのユーザー設備のチャネルマトリックスの直交性により表されることを特徴とする請求項８記載のアップリンク電力制御装置。
【請求項１０】
前記少なくとも２つのユーザー設備間の直交性は、前記少なくとも２つのユーザー設備のチャネルマトリックスを直交マトリックスに近づかせることにより確定されることを特徴とする請求項９記載のアップリンク電力制御装置。
【請求項１１】
前記計算モジュールは前記少なくとも２つのユーザー設備のチャネルマトリックスを直交マトリックスに近づかせることにより、望ましい前記少なくとも２つのユーザー設備の電力関係を獲得し、当該望ましい前記少なくとも２つのユーザー設備の電力関係に基づき、少なくとも２つ前記のユーザー設備間における調整すべき電力の大きさを確定することを特徴とする請求項１０記載のアップリンク電力制御装置。
【請求項１２】
少なくとも２つのユーザー設備と、
仮想多重入出力システムにおけるペアを組む少なくとも２つのユーザー設備を確定し、前記少なくとも２つのユーザー設備間の直交性により、少なくともそのうちの１つのユーザー設備の電力を調整するネットワーク側設備と、
を備えることを特徴とするアップリンク電力制御システム。
【請求項１３】
前記少なくとも２つのユーザー設備間の直交性は、前記少なくとも２つのユーザー設備のチャネルマトリックスを直交マトリックスに近づかせることにより確定され、
前記ネットワーク側設備は、前記少なくとも２つのユーザー設備のチャネルマトリックスを直交マトリックスに近づかせることにより、望ましい前記少なくとも２つのユーザー設備の電力関係を獲得し、当該望ましい前記少なくとも２つのユーザー設備の電力関係に基づき、少なくともそのうちの１つのユーザー設備の電力を調整することを特徴とする請求項１２記載のアップリンク電力制御システム。
【手続補正書】
【提出日】平成22年10月19日(2010.10.19)
【手続補正１】
【補正対象書類名】明細書
【補正対象項目名】００２０
【補正方法】変更
【補正の内容】
【００２０】
チャネルマトリックスＨｎが直交マトリックスである際、ＵＥ1とＵＥ２の直交性が一番よく、即ちＵＥ1とＵＥ２の直交性はチャネルマトリックスＨｎの直交性により現れ、この際の二者間の干渉が最小になり、理想的な空間多重効果が得られる。チャネルマトリックスＨｎを望ましい直交マトリックスにするため、マトリックスＦｎ＝ＨｎＨＨｎを計算する必要があり、上つけ文字Ｈはマトリックスの共役装置を示す。各パラメータをＦｎに代入すると、数式２を得る。
【手続補正２】
【補正対象書類名】明細書
【補正対象項目名】００２２
【補正方法】変更
【補正の内容】
【００２２】
Ｆｎが対角マトリックスである際、チャネルマトリックスＨｎは直交マトリックスであるため、Ｆｎを単位マトリックスに近づかせ、数式３に最小値を取るようにしてＰ１とＰ２間の関係を見つける必要がある。
【手続補正３】
【補正対象書類名】特許請求の範囲
【補正対象項目名】全文
【補正方法】変更
【補正の内容】
【特許請求の範囲】
【請求項１】
仮想多重入出力システムにおけるペアを組む少なくとも２つのユーザー設備を確定するステップと、
前記少なくとも２つのユーザー設備間の直交性により、少なくともそのうちの１つのユーザー設備の電力を調整するステップと、
を備えることを特徴とするアップリンク電力制御方法。
【請求項２】
前記少なくとも２つのユーザー設備間の直交性は、前記少なくとも２つのユーザー設備のチャネルマトリックスの直交性により表されることを特徴とする請求項１記載のアップリンク電力制御方法。
【請求項３】
前記少なくとも２つのユーザー設備間の直交性は、前記少なくとも２つのユーザー設備のチャネルマトリックスを直交マトリックスに近付かせることによって確定されることを特徴とする請求項２記載のアップリンク電力制御方法。
【請求項４】
前記少なくとも２つのユーザー設備のチャネルマトリックスを直交マトリックスに近付かせることにより、望ましい前記少なくとも２つのユーザー設備の電力関係を獲得するステップと、
望ましい前記少なくとも２つのユーザー設備の電力関係により、少なくともそのうちの１つのユーザー設備の電力を調整するステップと、
を備えることを特徴とする請求項３記載のアップリンク電力制御方法。
【請求項５】
前記少なくとも２つのユーザー設備における少なくとも１つのユーザー設備の電力を調整するステップは、
望ましい前記少なくとも２つのユーザー設備の電力関係により、前記少なくとも２つのユーザー設備における少なくとも１つのユーザー設備の電力の調整すべき幅と方向を確定するステップと、
確定された少なくとも１つのユーザー設備の電力の調整すべき幅と方向により、電力調整命令を生成して少なくとも１つの前記ユーザー設備に送信し、少なくとも１つの前記ユーザー設備が前記命令に従って電力調整を行うようにするステップと、
を備えることを特徴とする請求項４記載のアップリンク電力制御方法。
【請求項６】
前記少なくとも２つのユーザー設備における少なくとも１つのユーザー設備の電力を調整するステップは、
望ましい前記少なくとも２つのユーザー設備の電力関係、及び統合されたチャネル質に関係する各パラメータ値により、前記少なくとも２つのユーザー設備における少なくとも１つのユーザー設備が採用すべき電力を確定するステップと、
確定された少なくとも１つのユーザー設備が採用すべき電力により、電力指示命令を生成して前記少なくとも１つのユーザー設備に送信し、前記少なくとも１つのユーザー設備が前記命令に従って電力調整を行うようにするステップと、
を備えることを特徴とする請求項４記載のアップリンク電力制御方法。
【請求項７】
２つの前記ユーザー設備の位置、チャネル質、セル総電力制御と大幅なフェーディングのうちの１つまたは複数の要素により、２つの前記ユーザー設備における少なくとも１つのユーザー設備の電力調整を確定することを特徴とする請求項５または請求項６記載のアップリンク電力制御方法。
【請求項８】
仮想多重入出力システムにおけるペアを組む少なくとも２つのユーザー設備を確定する獲得モジュールと、
前記少なくとも２つのユーザー設備間の直交性により、前記少なくとも２つのユーザー設備間における調整すべき電力の大きさを確定する計算モジュールと、
確定された調整すべき電力の大きさにより、少なくともそのうちの１つのユーザー設備の電力を調整する調整モジュールと、
を備えることを特徴とするアップリンク電力制御装置。
【請求項９】
前記少なくとも２つのユーザー設備間の直交性は、前記少なくとも２つのユーザー設備のチャネルマトリックスの直交性により表されることを特徴とする請求項８記載のアップリンク電力制御装置。
【請求項１０】
前記少なくとも２つのユーザー設備間の直交性は、前記少なくとも２つのユーザー設備のチャネルマトリックスを直交マトリックスに近づかせることにより確定されることを特徴とする請求項９記載のアップリンク電力制御装置。
【請求項１１】
前記計算モジュールは前記少なくとも２つのユーザー設備のチャネルマトリックスを直交マトリックスに近づかせることにより、望ましい前記少なくとも２つのユーザー設備の電力関係を獲得し、当該望ましい前記少なくとも２つのユーザー設備の電力関係に基づき、少なくとも２つ前記のユーザー設備間における調整すべき電力の大きさを確定することを特徴とする請求項１０記載のアップリンク電力制御装置。
【請求項１２】
前記調整モジュールは、確定された調整すべき電力により、前記少なくとも２つのユーザー設備における少なくとも１つのユーザー設備の電力の調整すべき幅と方向を確定し、確定された少なくとも１つのユーザー設備電力の調整すべき幅と方向により、電力調整命令を生成して前記少なくとも１つのユーザー設備に送信し、前記少なくとも１つのユーザー設備が前記命令により電力調整を行うようにすることを特徴とする請求項１１記載のアップリンク電力制御装置。
【請求項１３】
前記調整モジュールは、また、確定された調整すべき電力及び統合されたチャネル質に関係する各パラメータ値により、前記少なくとも２つのユーザー設備における少なくとも１つのユーザー設備が採用すべき電力を確定し、確定された少なくとも１つのユーザー設備が採用すべき電力により、電力指示命令を生成して前記少なくとも１つのユーザー設備に送信し、前記少なくとも１つのユーザー設備が前記命令に従って電力調整を行うようにすることを特徴とする請求項１１記載のアップリンク電力制御装置。
【請求項１４】
少なくとも２つのユーザー設備と、
仮想多重入出力システムにおけるペアを組む少なくとも２つのユーザー設備を確定し、前記少なくとも２つのユーザー設備間の直交性により、少なくともそのうちの１つのユーザー設備の電力を調整するネットワーク側設備と、
を備えることを特徴とするアップリンク電力制御システム。
【請求項１５】
前記少なくとも２つのユーザー設備間の直交性は、前記少なくとも２つのユーザー設備のチャネルマトリックスを直交マトリックスに近づかせることにより確定され、
前記ネットワーク側設備は、前記少なくとも２つのユーザー設備のチャネルマトリックスを直交マトリックスに近づかせることにより、望ましい前記少なくとも２つのユーザー設備の電力関係を獲得し、当該望ましい前記少なくとも２つのユーザー設備の電力関係に基づき、少なくともそのうちの１つのユーザー設備の電力を調整することを特徴とする請求項１４記載のアップリンク電力制御システム。
【請求項１６】
前記ネットワーク側設備は、確定された調整すべき電力により、前記少なくとも２つのユーザー設備における少なくとも１つのユーザー設備の電力の調整すべき幅と方向を確定し、確定された少なくとも１つのユーザー設備電力の調整すべき幅と方向により、電力調整命令を生成して前記少なくとも１つのユーザー設備に送信し、前記少なくとも１つのユーザー設備が前記命令により電力調整を行うようにすることを特徴とする請求項１５記載のアップリンク電力制御システム。
【請求項１７】
前記ネットワーク側設備は、また、確定された調整すべき電力及び統合されたチャネル質に関係する各パラメータ値により、前記少なくとも２つのユーザー設備における少なくとも１つの前記ユーザー設備が採用すべき電力を確定し、確定された少なくとも１つのユーザー設備が採用すべき電力により、電力指示命令を生成して前記少なくとも１つのユーザー設備に送信し、前記少なくとも１つのユーザー設備が前記命令に従って電力調整を行うようにすることを特徴とする請求項１５記載のアップリンク電力制御システム。
【国際調査報告】
2011520314.tif 000015
2011520314.tif 000016
2011520314.tif 000017
2011520314.tif 000018